(57)【特許請求の範囲】
【請求項１】
映像信号復号器のミュート回路であって、
受信されたオーディオ信号のフレーム同期信号と基準のフレーム同期信号とをビット毎に比べる同期信号比較手段と、
前記同期信号比較手段による比較結果を入力して、各フレームのフレーム同期信号当たりの、オーディオ信号のフレーム同期信号と基準のフレーム同期信号とが不一致であるビットの数を不一致ビット数として検出する不一致ビット数検出手段と、
前記不一致ビット数検出手段で検出された不一致ビット数によりミュートを制御するミュート制御手段とを具備し、
前記ミュート制御手段は、前記検出された不一致ビット数に基づき、ミュートをする状態と、ミュートをしない状態と、後に受信するオーディオ信号のフレーム同期信号における基準のフレーム同期信号との不一致ビット数を参照してからミュートをするか否かを決定する状態とを切り分けることを特徴とするミュート回路。
【請求項２】
前記同期信号比較手段は、
受信されたオーディオ信号のフレーム同期信号を順次に入力する第１ラッチ手段と、
基準のフレーム同期信号を貯蔵する基準同期信号貯蔵手段と、
前記受信したフレーム同期信号と基準のフレーム同期信号とをビット毎に順次に比較するビット比較手段とを具備することを特徴とする請求項１記載のミュート回路。
【請求項３】
前記基準同期信号貯蔵手段は、
基準のフレーム同期信号の上位８ビットを貯蔵する第１貯蔵手段と、
基準のフレーム同期信号の下位８ビットを貯蔵する第２貯蔵手段とを具備することを特徴とする請求項２記載のミュート回路。
【請求項４】
前記ビット比較手段は、前記第１ラッチ手段から供給されるオーディオ信号のフレーム同期信号と基準のフレーム同期信号とのそれぞれのビットを順次に排他的論理和して出力する排他的論理和手段で構成されることを特徴とする請求項２記載のミュート回路。
【請求項５】
前記不一致ビット数検出手段は、
オーディオ信号の各フレーム同期信号の受信毎に制御信号としてクロックを発生する制御信号発生手段と、
前記制御信号の発生により、前記比較された各フレーム同期信号の不一致のビット数を検出するビット数検出手段と、
前記制御信号が発生する度に、検出された不一致ビット数を計数する不一致ビット数計数手段とを具備することを特徴とする請求項１記載のミュート回路。
【請求項６】
前記制御信号発生手段は、基準クロックを入力し、１３５０進の計数をして、基準クロックを１３５０計数する毎に信号を出力する基準クロック計数手段を更に具備することを特徴とする請求項５記載のミュート回路。
【請求項７】
前記同期信号比較手段は、受信されたオーディオ信号のフレーム同期信号と基準のフレーム同期信号とのそれぞれのビットを順次に排他的論理和して出力する排他的論理和手段を有し、
前記ビット数検出手段は、前記排他的論理和手段の出力と基準クロックとを否定論理積して出力する否定論理積手段を具備することを特徴とする請求項５記載のミュート回路。
【請求項８】
前記否定論理積手段は、基準クロックを伝送するための２つのインバータで構成される伝送ゲートを更に具備することを特徴とする請求項７記載のミュート回路。
【請求項９】
前記不一致ビット数計数手段は、計数された不一致ビット数を１及び３と比べるビット数比較手段を更に具備することを特徴とする請求項５記載のミュート回路。
【請求項１０】
前記ビット数比較手段は、
前記不一致ビット数計数手段から出力される不一致ビット数を１と比べる第１比較手段と、
２進数に変換されて出力される不一致ビット数を十進数３と比べる第２比較手段とを具備することを特徴とする請求項９記載のミュート回路。
【請求項１１】
前記ミュート制御手段は、
前記不一致ビット数検出手段での検出結果に基づいて、不一致ビット数による４種の状態（不一致ビット数が０，１，２，あるいは３以上の状態）を該当端子を通じて出力する状態検出手段と、
該状態検出手段が出力する状態から、不一致ビット数が０の場合にはミュートを行うミュート信号を発生せず、不一致ビット数が３以上の場合にはミュートを行うミュート信号を発生し、不一致ビット数が２の場合には後に受信する１つ又は２つのフレーム同期信号の不一致ビット数を参照してミュート信号を発生するか否かを判断し、不一致ビット数が１の場合には後に受信する７つのフレーム同期信号の不一致ビット数を参照して、ミュートを行うミュート信号を発生するか否かを判断するミュート信号発生手段を具備することを特徴とする請求項１又は１０記載のミュート回路。
【請求項１２】
前記ミュート信号発生手段は、前記状態検出手段の出力により後に受信するフレーム同期信号のビット状態をラッチする第２ラッチ手段を更に具備することを特徴とする請求項１１記載のミュート回路。
【請求項１３】
前記第２ラッチ手段は、
前記不一致ビット数の状態が２の場合に、後に受信する２つのフレーム同期信号の不一致ビット数を示す信号をラッチする第３ラッチ手段と、
前記不一致ビット数の状態が１の場合に、後に受信する７つのフレーム同期信号の不一致ビット数を示す信号を順次にラッチする第４ラッチ手段とを具備することを特徴とする請求項１２記載のミュート回路。
【請求項１４】
前記第３ラッチ手段は、
次のフレーム同期信号の不一致ビット数を示す信号をラッチする次期ラッチ手段と、
２つ後のフレーム同期信号の不一致ビット数を示す信号をラッチする次々期ラッチ手段とを具備することを特徴とする請求項１３記載のミュート回路。
【請求項１５】
前記第４ラッチ手段は、後に受信する７つのフレーム同期信号の不一致ビット数を示す信号を順次にラッチする７つのラッチ手段を具備することを特徴とする請求項１４記載のミュート回路。
【請求項１６】
受信されたオーディオ信号のフレーム同期信号と基準のフレーム同期信号とをビット毎に比べる同期信号比較手段と、前記同期信号比較手段による比較結果を入力して、各フレームのフレーム同期信号当たりのオーディオ信号のフレーム同期信号と基準のフレーム同期信号とが不一致であるビットの数を検出する不一致ビット数検出手段と、前記不一致ビット数検出手段で検出された不一致ビット数によりミュートを制御するミュート制御手段とを具備するミュート回路のミュート方法において、
受信されたオーディオ信号のフレーム同期信号と基準のフレーム同期信号とをビット毎に比べる同期信号比較段階と、
前記比較結果から、各フレームのフレーム同期信号当たりのオーディオ信号のフレーム同期信号と基準のフレーム同期信号とが不一致であるビットの数を検出する不一致ビット数検出段階と、
前記検出される不一致ビット数によりミュートを制御するミュート制御段階とを具備し、
前記ミュート制御段階は、前記検出される各フレーム同期信号の不一致ビット数に従って、後に受信するフレーム同期信号の不一致ビット数を参照してミュートを行うか否かを決定する次期フレーム参照段階と、後に受信するフレーム同期信号の不一致ビット数の参照なしにミュートを行うミュート段階と、後に受信するフレーム同期信号の不一致ビット数の参照なしにミュートを行わない非ミュート段階とを具備することを特徴とするミュート方法。
【請求項１７】
前記同期信号比較段階は、
オーディオ信号のフレーム同期信号を基準クロック信号により順次にラッチする同期信号ラッチ段階と、
前記ラッチされたフレーム同期信号と基準のフレーム同期信号とのそれぞれのビットを順次に排他的論理和する方法で比べる同期信号比較段階とを具備することを特徴とする請求項１６記載のミュート方法。
【請求項１８】
前記不一致ビット数検出段階は、
前記比較された信号により両フレーム同期信号の不一致ビット数を計数して２進数で出力する不一致ビット数計数段階と、
前記計数された不一致ビット数を１及び３と比べる不一致ビット数比較段階とを具備することを特徴とする請求項１６記載のミュート方法。
【請求項１９】
前記不一致ビット数比較段階は、
前記２進数に変換されて出力される不一致ビット数を１と比べる第１比較段階と、
前記２進数に変換され出力される不一致ビット数を十進数３と比べる第２比較段階とを具備することを特徴とする請求項１８記載のミュート方法。
【請求項２０】
前記次期フレーム参照段階は、
前記不一致ビット数検出段階で検出された不一致ビット数により、後に受信するフレーム同期信号の不一致ビット数を参照するか否かを判断する参照判断段階と、
前記参照判断段階で後に受信するフレーム同期信号の不一致ビット数の参照と判断されれば、後に受信するフレーム同期信号の不一致ビットの数を参照する次期フレーム不一致ビット数参照段階とを具備することを特徴とする請求項１６記載のミュート方法。
【請求項２１】
前記参照判断段階は、
前記検出された不一致ビット数が１の場合に、後に受信する７つのフレーム同期信号の不一致ビット数を順次に入力して参照する第１信号処理段階と、
前記検出された不一致ビット数が２の場合に、後に受信する１つ又は２つのフレーム同期信号の不一致ビット数を入力して参照する第２信号処理段階とを具備することを特徴とする請求項２０記載のミュート方法。
【請求項２２】
前記第１信号処理段階は、
前記検出された不一致ビット数が１の場合に、後に受信する７つのフレーム同期信号の不一致ビット数を参照する第１次期フレーム不一致ビット数参照段階と、
前記参照された後に受信する７つのフレーム同期信号の不一致ビット数が全て１か否かを判断する第１ビット数判断段階とを具備することを特徴とする請求項２１記載のミュート方法。
【請求項２３】
前記第２信号処理段階は、
前記検出された不一致ビット数が２の場合に、後に受信する２つのフレーム同期信号の不一致ビット数を参照する第２次期フレーム不一致ビット数参照段階と、
前記後に受信する２つの連続するフレーム同期信号の不一致ビット数の和が３以上か否かを判断する第２ビット数判断段階を具備することを特徴とする請求項２１記載のミュート方法。
【請求項２４】
前記ミュート制御段階は、
前記不一致ビット数比較段階で比較されて検出された不一致ビット数が３以上の場合に、ミュートを実行する第１ミュート段階と、
前記不一致ビット数比較段階で比較されて検出された不一致ビット数が１で、後に受信する７つのフレーム同期信号の不一致ビット数が全て１である場合に、ミュートを実行する第２ミュート段階と、
前記不一致ビット数比較段階で比較されて検出された不一致ビット数が２で、後に受信する２つのフレーム同期信号の不一致ビット数の和が３以上と判断された場合に、ミュートを実行する第３ミュート段階と、
前記検出された不一致ビット数が０の場合及びミュートの後に、終了を行うミュート終了段階とを具備することを特徴とする請求項１６記載のミュート方法。
【発明の詳細な説明】
【０００１】
【産業上の利用分野】
本発明は、マルチ放送方式が受信できる機能を有するマルチ放送受信装置に係り、特に放送切り換えの際に発生する雑音が取り除けるミューズ復号器のミュート回路及び方法に関するものである。
【０００２】
【従来の技術】
マルチ放送受信装置は、一般的な放送方式によりＮＴＳＣ信号とＨＤＴＶ信号であるミューズとの受信が可能であり、各信号の復号のための復号器を具備し、チャネル選択により選択された信号を復号して出力する。
図１はマルチ放送受信装置のミューズ復号器のブロック図であり、従来及び本実施例のミュート回路が適用される。
【０００３】
図１において、ミューズ復号器は、受信された信号をデジタル信号に変換するためのＡ／Ｄ変換器１１、前記信号変換された信号のレベルを自動制御するレベル制御手段１２、前記受信された信号の内の映像信号を処理するための映像信号処理手段１３、ＰＬＬ及び制御信号を検出し、フレームパルスとミューズ／ＮＴＳＣ信号とを出力する制御信号検出手段１４、オーディオのサンプリング変換のためのオーディオサンプリング変換手段１５、時間圧縮されたオーディオ信号を復元するため時間伸張をする時間伸張手段１６、サンプリングされたオーディオ信号からフレーム同期信号とオーディオ制御信号とを検出するための信号検出手段１７、前記信号検出手段１７を通じて出力されるオーディオ信号をアナログ信号に変換するＤ／Ａ変換手段１８、及び前記信号検出手段１７から供給されるオーディオミュート信号と制御信号検出手段１４のフレームパルス信号とに従い、ミュートを制御するミュート制御手段１９より構成される。
【０００４】
前記構成によるミューズ復号器のオーディオ信号処理を説明する。
エンコーディングされて伝送されるミューズ信号に挿入されたオーディオ信号は、ビデオ信号に挿入されて伝送されるので、ビデオサンプリング比に合うように同期して伝送される。このオーディオ信号の復元は、前記オーディオサンプリング変換手段１５を通じて成され、前記時間伸張手段１６を通じて圧縮される前の信号に復元され、前記信号検出手段１７に印加される。前記信号検出手段１７が、入力されたオーディオ信号の中から、送信器のエンコーダ側と互いに約束された信号である１６ビットの特定のパターンを同期信号と認識することにより、オーディオ信号の１フレームが始まることが認識され、フレーム単位の復号化過程が始まる。この場合、フレーム同期が認識できなければ、復号化信号の出力は正常な信号でなく、エラーとなって雑音で出力される。従って、フレーム同期の認識されていない状態での復号化出力がミュート処理されるべきである。
【０００５】
図２は従来のマルチ放送受信装置のミューズ復号器のミュート回路のブロック図である。
ミューズ復号器の従来のミュート回路は、図２に示した通り、１６ビットで構成されるオーディオ信号の各フレーム同期信号を順次入力するためのラッチ手段２１、送信部と約束された基準同期信号を貯蔵する基準同期信号貯蔵手段２２、前記フレーム同期信号と基準同期信号とのそれぞれのビットを排他的論理和するための排他的論理和手段２３、前記排他的論理和手段２３により比較されたフレーム同期信号と基準同期信号との下位８ビットと上位８ビットとを各々入力して、否定論理積する第１，第２否定論理積手段２４，２５と、前記第１，第２否定論理積手段２４，２５の両出力信号を論理和するための論理和手段２６、前記ラッチ手段２１を制御するクロックパルスをカウントし、１６パルス毎にクロックパルスを発生する制御クロック発生手段２７、及び前記論理和手段２６を通じて検出される同期データのエラーを前記制御クロックにより検出し、ミュート信号を発生するミュート信号発生手段２８より構成される。
【０００６】
図３は従来の方式によるミュート動作を説明するための信号を示す図面である。
図３の（Ａ）はフレームの開始を表すフレームパルスを示し、図３の（Ｂ）はミューズ／ＮＴＳＣチャネル切り換え信号を示し、図３の（Ｃ）はフレームパルスによるミュート動作信号を、図３の（Ｄ）は復号前のミューズオーディオ信号と前記フレームパルスにより発生したＮＴＳＣ信号とを、図３の（Ｅ）は正常ミューズ信号と、復号の中に発生する雑音と、前記ミュート動作信号により発生したミュート区間及び復号されたＮＴＳＣ信号とを示した。
【０００７】
前記構成による従来のミュート回路によるミュート動作を、図２と図３とを参照にして説明することにする。
前記図３の（Ｂ）のミューズ／ＮＴＳＣ切り換え信号が発生すれば、前記ラッチ手段２１に１６ビットで構成されるオーディオ信号のフレーム同期信号が直列入力され、前記排他的論理和手段２３は前記入力された同期信号と前記基準同期信号貯蔵手段２２の基準同期信号とのそれぞれのビットを排他的論理和して出力する。前記第１，第２否定論理積手段２４，２５は排他的論理和手段２３の出力を論理積して出力し、前記論理和手段２６は前記否定論理積された信号を論理和して出力する。前記ミュート信号発生手段２８には前記論理和手段２６の結果が入力され、エラーを検出する。この場合、前記ミュート信号発生手段は、１６ビットのオーディオ同期信号が完全に一致して始めてフレーム同期信号が一致したと判定し、２フレーム以上連続して一致すればフレームを固定し、正常的なＮＴＳＣのオーディオ信号（図３の（Ｅ））が出力される。一方、前記フレーム同期が固定した状態で連続的にオーディオフレーム同期信号が一致しなければ、エラーに基づいたか否かを確認するために、続けて８フレームのオーディオ同期信号を比べた後にＮＴＳＣに切り換える。
【０００８】
前記方法による従来のミュート信号は、ミューズ／ＮＴＳＣ切り換えの場合に最大８フレームのオーディオ同期信号を比べるようになり、オーディオ同期信号を比較する期間に、前記ミューズ／ＮＴＳＣ切り換え信号（図３の（Ｂ））により発生したＮＴＳＣ信号が雑音で出力される問題があった。
【０００９】
【発明が解決しようとする課題】
本発明の目的は、オーディオ信号のフレーム同期信号の中から標準のフレーム同期信号と一致しないビットの数を検出し、そのビット数と後に受信するフレーム同期信号のビット数との関連に従いミュートを行うか否かを制御することにより、チャネル切り換えの場合に雑音とエラーとが取り除けるミュート回路を提供するすることにある。
本発明の他の目的は、オーディオ信号のフレーム同期信号の中から標準のフレーム同期信号と一致しないビットの数を検出し、そのビット数と後に受信するフレーム同期信号のビット数との関連に従いミュートを行うか否かを制御する方法を提供することである。
【００１０】
【課題を解決するための手段】
前記目的を達成するために、本発明のミュート回路は、映像信号復号器のミュート回路であって、受信されたオーディオ信号のフレーム同期信号と基準のフレーム同期信号とをビット毎に比べる同期信号比較手段と、前記同期信号比較手段による比較結果を入力して、各フレームのフレーム同期信号当たりの、オーディオ信号のフレーム同期信号と基準のフレーム同期信号とが不一致であるビットの数を不一致ビット数として検出する不一致ビット数検出手段と、前記不一致ビット数検出手段で検出された不一致ビット数によりミュートを制御するミュート制御手段とを具備し、前記ミュート制御手段は、前記検出された不一致ビット数に基づき、ミュートをする状態と、ミュートをしない状態と、後に受信するオーディオ信号のフレーム同期信号における基準のフレーム同期信号との不一致ビット数を参照してからミュートをするか否かを決定する状態とを切り分けることを特徴とする。
【００１１】
前記他の目的を達成するために、本発明のミュート方法は、受信されたオーディオ信号のフレーム同期信号と基準のフレーム同期信号とをビット毎に比べる同期信号比較手段と、前記同期信号比較手段による比較結果を入力して、各フレームのフレーム同期信号当たりのオーディオ信号のフレーム同期信号と基準のフレーム同期信号とが不一致であるビットの数を検出する不一致ビット数検出手段と、前記不一致ビット数検出手段で検出された不一致ビット数によりミュートを制御するミュート制御手段とを具備するミュート回路のミュート方法において、受信されたオーディオ信号のフレーム同期信号と基準のフレーム同期信号とをビット毎に比べる同期信号比較段階と、前記比較結果から、各フレームのフレーム同期信号当たりのオーディオ信号のフレーム同期信号と基準のフレーム同期信号とが不一致であるビットの数を検出する不一致ビット数検出段階と、前記検出される不一致ビット数によりミュートを制御するミュート制御段階とを具備し、前記ミュート制御段階は、前記検出される各フレーム同期信号の不一致ビット数に従って、後に受信するフレーム同期信号の不一致ビット数を参照してミュートを行うか否かを決定する次期フレーム参照段階と、後に受信するフレーム同期信号の不一致ビット数の参照なしにミュートを行うミュート段階と、後に受信するフレーム同期信号の不一致ビット数の参照なしにミュートを行わない非ミュート段階とを具備することを特徴とする。
【００１２】
【作用】
受信されたオーディオ信号のフレーム同期信号と基準のフレーム同期信号とをビット毎に比べ、各フレームのフレーム同期信号当たりの、オーディオ信号のフレーム同期信号と基準のフレーム同期信号とが不一致であるビットの数を検出した後に、検出された不一致ビットの数によりミュートを制御して、ミュートをする状態と、ミュートをしない状態と、オーディオ信号の後に受信するフレーム同期信号における基準のフレーム同期信号との不一致ビット数を参照してからミュートをするか否かを決定する状態とを切り分ける。
【００１３】
【実施例】
以下、添付した図面に基づき本発明の実施例を詳細に説明する。
図４は本実施例のミュート回路のブロック図である。
本実施例のミュート回路は、図４に示したように、受信されたオーディオ信号のフレーム同期信号と基準フレーム同期信号とを比べるための同期信号比較手段４１と、前記比較された同期信号を入力し、各フレーム当たり不一致する同期ビットの数を検出するための不一致ビット数検出手段４２と、前記検出された不一致ビットの数によりミュートを制御するためのミュート制御手段４３とを具備する。
【００１４】
前記同期信号比較手段４１は、受信されオーディオ信号のフレーム同期信号を順次入力するためのラッチ手段４１１と、基準フレーム同期信号を貯蔵する基準同期信号貯蔵手段４１２と、前記受信同期信号と基準同期信号とを順次に比べるための比較手段４１３とを具備する。前記不一致ビット数検出手段４２は、オーディオ信号の各フレーム毎にクロックを発生するための制御信号発生手段４２１と、前記制御信号の発生により前記比較された各フレームの同期信号の不一致同期ビット数を検出するビット数検出手段４２２と、前記制御信号が発生する度に検出された不一致ビット数を計数する計数手段４２３とを具備する。
【００１５】
図５は本実施例のミュート回路のミュート方法を示すフローチャートである。受信されたオーディオ信号のフレーム同期信号と基準フレーム同期信号とを比べる同期信号比較段階５１と、前記比較された同期信号の各フレーム当たり不一致する同期ビットの数を検出する不一致ビット数検出段階５２と、前記検出された不一致ビット数に基づいて、次期フレームの不一致ビット数を検出する次期フレーム検出段階５３と、前記検出される全体の不一致ビット数によりミュートを行うミュート段階５４を具備する。
【００１６】
前記次期フレーム検出段階５３は、前記不一致ビット数検出段階５２で検出された不一致ビット数により、次期フレームの不一致ビット数を検出するか否かを判断する検出判断段階５３１、及び前記検出判断段階５３１で次期フレーム不一致ビット数の検出と判断されれば、次期フレームの不一致ビットの数を検出する次期フレーム不一致ビット数検出段階５３２を具備する。
【００１７】
前記構成による本実施例のミュート回路及び方法を更に詳細に説明する。
前記同期信号比較段階５１で、前記同期信号比較手段４１のラッチ手段４１１は、受信されたオーディオ信号の各フレーム同期信号を順次に入力し、前記不一致ビット数検出段階５２では、比較手段４１３が前記オーディオ信号の各フレーム同期信号と基準同期信号との各ビットを順次に比較し、不一致ビットを検出して出力する。前記検出判断段階５３１では、前記制御信号発生手段４２１により発生する制御信号により、前記比較された各フレームの同期信号の不一致同期ビット数を検出し、前記計数手段４２３は前記制御信号が発生する度に検出された不一致ビット数を計数して出力する。
【００１８】
前記ミュート制御手段４３は前記検出判断段階５３１で検出された不一致ビット数により次期フレームビット数の検出と判断されれば、前記次期不一致ビット数検出段階５３２で次期フレーム不一致ビットの数を再検出し、不一致ビット数が所定のビット以上ならミュートを行い、所定のビット以下なら次期フレームの不一致ビット数を検出する方法で、検出される不一致ビット数によりミュート時期を決定しミュートを行う。
【００１９】
図６は本発明のミュート回路の他の実施例のブロック図である。
ミューズオーディオ同期信号を基準クロック同期信号により順次にラッチするための第１ラッチ手段６１、基準オーディオ同期信号を貯蔵するための基準同期信号貯蔵手段６２、前記第１ラッチ手段６１から供給されるオーディオ同期信号と基準同期信号とを順次にそれぞれのビットを排他的論理和して出力するための排他的論理和手段６３、前記排他的論理和手段６３の出力と基準クロックとを否定論理積して出力する否定論理積手段６４、前記否定論理積手段６４の出力により前記両同期信号の不一致ビット数を計数し２進数で出力する計数手段６５、前記計数手段６５により２進数に変換され出力される不一致ビット数を“１”と比べるための第１比較手段６６、前記２進数に変換され出力される不一致ビット数を十進数“３”と比べるための第２比較手段６７、前記第１，第２比較手段６６，６７により検出された不一致ビットの数によりミュートを制御するためのミュート制御手段６８、及び前記基準クロックをカウントし、フレーム毎に発生するフレームパルスを形成する制御信号発生手段６９を具備する。
【００２０】
前記基準同期信号貯蔵手段６２は、基準オーディオ同期信号の上位８ビットを貯蔵する第１貯蔵手段６２１、及び基準オーディオ同期信号の下位８ビットを貯蔵する第２貯蔵手段６２２を具備する。前記否定論理積手段６４は、基準クロックを伝送するための２つのインバータより構成される伝送ゲート６４１，６４２を更に具備して構成される。
【００２１】
前記ミュート制御手段６８は、前記第１，第２比較手段６６，６７により発生する比較信号を入力し、不一致ビット数による４種の状態（不一致ビット数が１未満（Ｂ０），１（Ｂ１），２（Ｂ２）及び３以上の状態（Ｂ３））を該当端子を通じて出力する状態検出手段６８１、前記状態検出手段６８１の出力によりフレームのビット状態をラッチする第２ラッチ手段６８２、及び前記不一致ビット数の状態が“０”の    にはミュートせずに正常出力を行い、不一致ビット数が“３”とか“３”以上の場合にはミュートを行い、“２”の場合には次期フレームまでの不一致ビット数を検出してミュートを判断し、“１”の場合には最大８フレームまでの不一致ビット状態を検出しミュート信号を発生するミュート信号発生手段６８３を具備する。
【００２２】
前記第２ラッチ手段６８２は、前記判断された不一致ビット数が２つの場合に、現在フレームの不一致ビット数を示す信号をラッチするための第３ラッチ手段６８４と、前記判断された不一致ビットの数が１つの場合に、次期７フレームの不一致ビット数を示す信号を順次にラッチするための第４ラッチ手段６８５とを具備する。前記第３ラッチ手段６８４は、次期不一致ビット数を示す信号をラッチするラッチ手段６８６、及び次期不一致ビット数を示す信号をラッチするラッチ手段６８７を具備する。前記第４ラッチ手段６８５は７フレームの不一致ビット数を示す信号を順次にラッチする７つのラッチ手段６８８〜６９４を具備する。
【００２３】
前記制御信号発生手段６９は、前記基準クロックを入力し、１３５０進計数して出力する１３５０進計数手段６９５、及びフレームパルス発生手段６９６を具備する。
図７は本発明のミュート回路の他の実施例によるミュート方法を示したフローチャートである。
【００２４】
図７において、ミューズオーディオ同期信号を基準クロック信号により順次にラッチする同期信号ラッチ段階７１、前記ラッチされたオーディオ同期信号と基準同期信号とを順次にそれぞれのビットを排他的論理和する方法で比べる同期信号比較段階７２、前記比較された信号により両同期信号の不一致ビット数を計数し、２進数で出力する不一致ビット数計数段階７３、前記計数された不一致ビット数を既貯蔵された数と比べる不一致ビット数比較段階７４、前記検出された不一致ビットの数によりミュートを制御するためのミュート制御段階７５、ミュート制御の終了を行うミュート終了段階７６を具備する。
【００２５】
前記不一致ビット数比較段階７４は、前記２進数に変換され出力される不一致ビット数を“１”と比べるための第１比較段階７４１、及び前記２進数に変換され出力される不一致ビット数を十進数“３”と比べるための第２比較段階７４２を具備する。
前記ミュート制御段階７５は、前記不一致ビット数比較段階７４で比較され検出された不一致ビット数が“３”とか“３”以上の場合に、ミュートを実行する第１ミュート段階７５１、前記検出された不一致ビット数が“１”の場合に、次期７フレームの不一致ビット数を順次に入力して比較する第１信号処理段階７５２、前記検出された不一致ビット数が“２”なら、次期フレームの不一致ビット数を入力して不一致ビット数を検出する第２信号処理段階７５３を具備する。
【００２６】
前記第１信号処理段階７５２は、前記検出された不一致ビット数が“１”の場合に、次期フレームの不一致ビット数を検出するための第１次期フレーム不一致ビット数検出段階７５４、前記検出された次期フレームの不一致ビット数が“１”か否かを判断する第１ビット数判断段階７５５と、前記判断の結果、“１”でないと判断されればミュートを実行する第２ミュート段階７５６を具備する。前記第２信号処理段階７５３は、前記検出された不一致ビット数が“２”の場合に、次期フレームの不一致ビット数を検出する第２次期フレーム不一致ビット数検出段階７５７、前記連続するフレームの不一致ビット数の和が“３”以上か否かを判断する第２ビット数判断段階７５８、及び前記判断の結果“３”以上と判断されればミュートを実行する第３ミュート段階７５９を具備する。
【００２７】
図８はマルチ放送受信装置のブロック図である。
本実施例のマルチ放送受信装置は、図８に示した通り、放送された信号を受信するアンテナ８１、チャネル切り換えのためのマルチ放送チューナ８２、ミューズ信号を復号するためのミューズ復号器８３、ＮＴＳＣ信号を復号するためのＮＴＳＣ復号器８４、前記両信号を選択的に出力するための信号切り換え手段８５、及び選択された放送信号を出力する出力手段８６より構成される。
【００２８】
図９は１フレーム分のミューズ信号のフォーマットを示す図面である。
ミューズ信号の１フレームは、前記図９に示した通り、第１フィールド９１と第２フィールド９２とに分けられ、前記第１フィールド９１の１番目ラインと２番目のラインとにフレームパルス信号９３を載せ、第２フィールド９２が始まるラインにプログラム制御伝送情報９４を載せ、前記各フィールドは４４ライン分のオーディオデータ９５１，９５２と５１６ライン分の輝度信号９６１，９６２と色差信号９７１，９７２と制御データ９８１，９８２等を具備して構成される。
【００２９】
図１０はミューズ信号に含まれた１フレーム分のミューズオーディオ信号のフォーマットを示す図面である。
前記ミューズオーディオ信号の１フレームは、一般的に図１０に示し通り、１６ビットで構成されるフレーム同期信号１０１、２２ビットで構成される制御信号１０２、１６ビットで構成されるレンジコ−ド１０３、チャネル信号１０４、１１２ビットで構成される独立データ１０５、及び１２８ビットで構成されるエラー訂正コード１０６で構成される。
【００３０】
図１１はミュート動作を説明するための信号を示す図面である。
図１１の（Ａ）はフレームの開始を表すフレームパルスを示し、図１１の（Ｂ）はミューズ／ＮＴＳＣチャネル切り換え信号を、図１１の（Ｃ）はフレームパルスによるミュート動作信号を、図１１の（Ｄ）はチャネル切り換えにより切り換えられるミューズ信号１０７とＮＴＳＣ信号１０８及びミューティング区間を示す。
【００３１】
図１２は本実施例のミュート回路の動作による信号のタイミングチャートである。
これはオーディオ同期信号１２１、オーディオフレームパルス１２２、基準同期信号１２３、１．３５ＭＨｚのクロック信号１２４、前記排他的論理和手段６３により発生する不一致ビットを示す不一致ビット表示信号１２５、前記計数手段６５により計数される不一致ビットの数を示す信号１２６、及び各フレームから検出された不一致ビット数を示す信号１２７を示す（ここで、↑は不一致ビットを指す）。
【００３２】
以下、前記構成による他の実施例のミュート回路及び方法を更に詳細に説明する。
エンコーディングされ伝送されるミューズ信号は、前記図９に示したように、２つのフィールドで構成されるビデオの１フレーム期間を基本単位としている。この中で、音声信号は４８０サンプルを１ラインとし、３番目のラインから４２番目のラインまでの１０７番目のサンプルから４８０番目のサンプルまでの４０ラインと、４３番目のラインから４６番目のラインまでの１０７番目のサンプルから４８０番目のサンプルまでの４ラインとを含む（４０＋４）ラインを占めており、第２フィールドでも５６５ラインから同一のフォームで（４０＋４）ライン分の音声データが挿入される。前記フォームを有するオーディオ信号は、前記図１の時間伸張手段１６を通じて圧縮される前の信号に復元され、１つのフィールド期間にわたり圧縮前の信号に復元された信号は前記図１０に示したようなフォームに変換される。
【００３３】
前記図６と図７とを参照すれば、同期信号ラッチ段階７１で、第１ラッチ手段６１にミューズオーディオ信号の中から１６ビットで構成される同期データが入力され、１．３５ＭＨｚのクロックにラッチして出力される。そして、前記同期信号比較段階７２で、前記排他的論理和手段６３は前記基準同期信号貯蔵手段６２から出力される基準同期信号を前記オーディオフレーム同期信号の各々のビットと比べ、同期パターンが一致しない場合“ロー”を出力する。前記否定論理積手段６４は、前記比較され順次に出力される信号と基準クロックを順次に否定論理積して出力し、前記不一致ビット数計数段階７３では、前記計数手段６５が前記否定論理積されて出力される信号を入力し、前記制御信号発生手段６９の出力信号により不一致ビット数を検出し２進数で出力する。前記不一致ビット数比較段階７４で、第１比較手段６６は、前記計数手段６５によって出力される不一致ビット数を“１”と比較し、“１”より小さかったり、“１”と等しかったり、“１”より大きい状態を示す信号を対応する出力端子を通じて出力し、第２比較手段６７は、前記計数手段６５により出力される不一致ビット数を“３”と比べ、“３”より小さかったり、“３”と等しかったり、“３”より大きい状態を示す信号を対応する出力端子を通じて出力する。
【００３４】
前記ミュート制御段階７５で、前記状態検出手段６８１は、前記第１，２比較手段６６，６７の両出力信号を利用して不一致ビット数を検出し、不一致ビット数が“１”未満、“１”，“２”あるいは“３”以上の状態を対応する出力端子を通じて出力する。この場合、前記ミュート信号発生手段６８３は、前記出力される不一致ビット数を検出し、“１”未満なら前記ミュート終了段階７６でミュートを終了し、不一致ビット数が“３”以上なら前記第１ミュート段階７５１でミュートを行う。前記不一致ビット数が“１”なら前記第１信号処理段階７５２の第１次期フレーム不一致ビット数検出段階７５４で、前記ラッチ手段６８８〜６９４を利用して次期フレームの不一致ビット数が“１”なら連続して最大次期７フレームまでの不一致ビット数を検出した後、前記第２ミュート段階７５６でミュートを行う。前記不一致ビット数が“２”なら前記ラッチ手段６８６，６８７を利用して現在の不一致ビット数状態をラッチした後、次期フレームの不一致ビット数を入力し、連続するフレームの不一致ビット数が“３”以上なら、前記第３ミュート段階７５９でミュートを行う。
【００３５】
この場合、前記ミュート制御手段６８により連続されるオーディオ同期データの不一致ビット数の検出は、下記表１のような方法で、不一致フレーム同期ビット数によるミュート制御をし、前記第１，第２比較手段６６，６７から発生する８フレーム分の信号を貯蔵した後、ミュート決定をする。
【００３６】
【表１】
0003627934.tif 000002
ここで、Ｎは現フレーム、Ｘは対応するフレームの不一致ビット数と関係なく無視する条件、（Ｎ−ｎ）thは現フレームの不一致ビット発生の場合に以前のｎ番目フレームの不一致ビット数を検査する条件である。
前記表１において、現フレームの不一致ビット数が３つとか３つ以上の場合は、激しいエラーが流入された状態である。これは完全な雑音状態で受信状態が至極不良だったりミューズ信号でない信号（例えば、ＮＴＳＣ信号）が受信されたので、即時ミュートを実行し雑音やエラーが出力されないように制御する。不一致ビット数が２つなら比較的にエラーが少ない状態であるが、１６ビットのフレーム同期信号の中２つ以上のエラーが発生すれば音声信号の復号化の後エラーが発生するので、２フレームに連続して２つのエラーが発生すればミュートを行う。この時のエラーは、フレーム同期信号が検出された以後にミュートが実行されるまでの時間遅延が２フレーム期間分以上なので、２フレームの間比較した後に制御してもミュート制御はなく最終出力されない。
【００３７】
又、連続した２フレームに４つ以上の不一致ビットが発生する場合、及び連続する３フレームの不一致ビット数が４つ以上なる場合には、エラーで発生する。その外の場合はエラー訂正をするようになっているので、現在フレームの不一致ビット数が３フレーム連続して４つ以上の場合にミュートを行うのである。この場合、前記フレーム同期信号が検出された以後のミューズ制御までの時間遅延が２フレームなので、３フレーム比較後に制御をすることにより、１フレーム分のエラーがミュートされず最終出力される。しかしながら、この場合のエラーは補間作用で些かの補償をすれば聴覚上の問題にはならない。不一致ビット数が１つの場合は比較的に良好な受信状態で、連続したフレームに１つずつのエラーが８つ未満累積される場合はエラー訂正をするので、連続して１つずつ発生したエラーが８つ以上の場合ミュート制御をする。不一致ビット数が発生しない時は正常的な受信状態と認識し、ミュート制御はなく直ちに最終出力を行う。
【００３８】
【発明の効果】
本発明のミュート回路及び方法は、受信されたオーディオ信号のフレーム同期信号と基準のフレーム同期信号とをビット毎に比べ、各フレームのフレーム同期信号当たりの、オーディオ信号のフレーム同期信号と基準のフレーム同期信号とが不一致であるビットの数を検出した後に、検出された不一致ビットの数によりミュートを制御して、ミュートをする状態と、ミュートをしない状態と、オーディオ信号の後に受信するフレーム同期信号における基準のフレーム同期信号との不一致ビット数を参照してからミュートをするか否かを決定する状態とを切り分けることにより、受信信号に混入される激しいエラー及びチャネル切り換えの場合に発生するエラーと雑音とを完全に取り除く著しい効果がある。
【図面の簡単な説明】
【図１】従来の技術及び本発明に共通的に適用されるマルチ放送受信装置のミューズ復号器のブロック図である。
【図２】従来のマルチ放送受信装置のミューズ復号器のミュート回路のブロック図である。
【図３】従来の方式によるミュート動作を説明するための信号を示す図面である。
【図４】本実施例のミュート回路のブロック図である。
【図５】本実施例のミュート回路のミュート方法を示すフローチャートである。
【図６】本実施例のミュート回路の他の実施例によるブロック図である。
【図７】本実施例のミュート回路の他の実施例によるミュート方法を示すフローチャートである。
【図８】マルチ放送受信装置のブロック図である。
【図９】１フレーム分のミューズ信号のフォーマットを示す図面である。
【図１０】ミューズ信号に含まれた１フレーム分のミューズオーディオ信号のフォーマットを示す図である。
【図１１】本実施例のミュート動作を説明するための信号を示す図面である。
【図１２】本実施例のミュート回路の動作による信号のタイミングチャートである。
【図１】
0003627934.tif 000003
【図２】
0003627934.tif 000004
【図３】
0003627934.tif 000005
【図４】
0003627934.tif 000006
【図５】
0003627934.tif 000007
【図６】
0003627934.tif 000008
【図７】
0003627934.tif 000009
【図８】
0003627934.tif 000010
【図９】
0003627934.tif 000011
【図１０】
0003627934.tif 000012
【図１１】
0003627934.tif 000013
【図１２】
0003627934.tif 000014